(57)【要約】【課題】制御対象の外部機器の電力消費を低減するとともに利便性を向上できる携帯端末装置及び機器制御システムを提供する。【解決手段】入力操作を行う操作部１４と、操作部１４により設定されるアラーム時刻に報知する報知部１５と、外部機器３０と通信を行う通信部２０と、アラーム時刻に基づいて操作部１４により設定される指示時刻に通信部２０を介して外部機器３０に対して動作を指示する制御部１１と、位置情報を取得する位置情報取得部１８とを備え、所定の測定時刻に位置情報取得部１８により取得した位置情報が操作部１４により設定される登録位置の場合に、外部機器３０に対して指示時刻に動作の開始を指示するとともにアラーム時刻に報知部１５による報知を行い、登録位置以外の場合に、外部機器３０の動作を停止する指示を行うとともにアラーム時刻に報知部１５による報知を行う。【選択図】図７
2014086794.tif 000002
【特許請求の範囲】
【請求項１】
入力操作を行う操作部と、前記操作部により設定されるアラーム時刻に報知する報知部と、外部機器と通信を行う通信部と、前記アラーム時刻に基づいて前記操作部により設定される指示時刻に前記通信部を介して前記外部機器に対して動作を指示する制御部と、位置情報を取得する位置情報取得部とを備え、所定の測定時刻に前記位置情報取得部により取得した位置情報が前記操作部により設定される登録位置の場合に、前記外部機器に対して前記指示時刻に動作の開始を指示するとともに前記アラーム時刻に前記報知部による報知を行い、前記登録位置以外の場合に、前記外部機器の動作を停止する指示を行うとともに前記アラーム時刻に前記報知部による報知を行うことを特徴とする携帯端末装置。
【請求項２】
前記指示時刻が前記アラーム時刻以前の所定範囲に設定されるとともに、複数の前記外部機器に対して異なる前記指示時刻を設定可能にし、前記測定時刻が最先の前記指示時刻であることを特徴とする請求項１に記載の携帯端末装置。
【請求項３】
前記指示時刻が前記アラーム時刻以前の所定範囲に設定されるとともに、複数の前記外部機器に対して異なる前記指示時刻を設定可能にし、前記測定時刻が各前記外部機器の前記指示時刻であることを特徴とする請求項１に記載の携帯端末装置。
【請求項４】
請求項１〜請求項３のいずれかに記載の携帯端末装置と前記外部機器とを備え、前記携帯端末装置によって前記外部機器の動作を制御することを特徴とする請求項１〜請求項４のいずれかに記載の機器制御システム。
【発明の詳細な説明】
【技術分野】
【０００１】
本発明はアラーム時刻に連動して外部機器の動作を制御する携帯端末装置及びそれを用いた機器制御システムに関する。
【背景技術】
【０００２】
従来の携帯端末装置を用いた機器制御システムは特許文献１に開示される。この機器制御システムは携帯端末装置、管理部（機器管理システム）及び複数の外部機器を備えている。携帯端末装置にはユーザ設定されるスケジュールの時刻に基づいた各外部機器に対する動作内容や動作時期を含む動作パターンが複数記憶される。管理部及び外部機器は屋内に設置され、管理部はＬＡＮ等により携帯端末装置及び外部機器と通信可能になっている。
【０００３】
携帯端末装置によりスケジュールを入力して動作パターンが選択されると、スケジュール及び動作パターンが管理部に送信される。管理部は動作パターンに基づいて所定の時刻に外部機器に対して動作を指示する。これにより、携帯端末装置により動作パターンを選択する簡単な操作によって複数の外部機器に対して所定の制御を行うことができる。
【０００４】
また、特許文献２にはアラーム機能を有する携帯端末装置が開示される。この携帯端末装置はアラーム時刻に報知を行う報知部及び位置情報を取得する位置検出部を備えている。アラーム時刻になると位置検出部によりＧＰＳ等から位置情報を取得し、予め登録される登録位置に携帯端末装置が配置された場合にアラームが報知される。また、登録位置以外に携帯端末装置が配置された場合にアラームの報知を中止する。
【０００５】
これにより、自宅を登録位置に登録すると、在宅時にアラーム報知が行われて外出時にアラーム報知が行われない。このため、アラームの設定及び解除を行う必要がなく、携帯端末装置の利便性を向上することができる。
【先行技術文献】
【特許文献】
【０００６】
【特許文献１】特開２０１１−１５８１８６号公報（第５頁〜第１０頁、第４図）
【特許文献２】特開２００５−１５８１８６号公報（第３頁〜第８頁、第５図）
【発明の概要】
【発明が解決しようとする課題】
【０００７】
上記特許文献１の機器制御システムによると、ユーザの起床時のアラーム時刻をスケジュールとして入力することで、アラーム時刻に基づいた時刻に外部機器に対して動作を指示することができる。しかしながら、ユーザがホテル等に外泊すると、アラーム時刻に応じて在宅時と同様に外部機器が動作するため電力を浪費する問題があった。
【０００８】
また、上記特許文献２の携帯端末装置によると、ユーザが外泊した際に起床時のアラームが報知されないため、登録位置の再設定によってアラームが報知される。このため、外泊先の登録位置の入力及び自宅の登録位置の再入力を必要とし、携帯端末装置の利便性が悪くなる問題もあった。
【０００９】
本発明は、制御対象の外部機器の電力消費を低減するとともに利便性を向上できる携帯端末装置及び機器制御システムを提供することを目的とする。
【課題を解決するための手段】
【００１０】
上記目的を達成するために本発明の携帯端末装置は、入力操作を行う操作部と、前記操作部により設定されるアラーム時刻に報知する報知部と、外部機器と通信を行う通信部と、前記アラーム時刻に基づいて前記操作部により設定される指示時刻に前記通信部を介して前記外部機器に対して動作を指示する制御部と、位置情報を取得する位置情報取得部とを備え、所定の測定時刻に前記位置情報取得部により取得した位置情報が前記操作部により設定される登録位置の場合に、前記外部機器に対して前記指示時刻に動作の開始を指示するとともに前記アラーム時刻に前記報知部による報知を行い、前記登録位置以外の場合に、前記外部機器の動作を停止する指示を行うとともに前記アラーム時刻に前記報知部による報知を行うことを特徴としている。
【００１１】
この構成によると、操作部によりアラーム時刻、指示時刻及び登録位置がそれぞれ設定される。所定の測定時刻になると位置情報取得部により携帯端末装置の位置情報が取得される。位置情報が登録位置の場合は指示時刻になると外部機器の動作が開始される。位置情報が登録位置以外の場合は外部機器の動作が停止され、指示時刻になっても外部機器の動作が開始されない。また、アラーム時刻になると位置情報に拘わらず報知部による報知が行われる。位置情報取得部により位置情報を取得する測定時刻は一の外部機器に対応する指示時刻であってもよく、複数の外部機器に対応した各指示時刻であってもよい。
【００１２】
また本発明は、上記構成の携帯端末装置において、前記指示時刻が前記アラーム時刻の所定時間前に設定されるとともに、複数の前記外部機器に対して異なる前記指示時刻を設定可能にし、前記測定時刻が最先の前記指示時刻であることを特徴としている。
【００１３】
また本発明は、上記構成の携帯端末装置において、前記指示時刻が前記アラーム時刻の所定時間前に設定されるとともに、複数の前記外部機器に対して異なる前記指示時刻を設定可能にし、前記測定時刻が各前記外部機器の前記指示時刻であることを特徴としている。
【００１４】
また本発明の機器制御システムは、上記各構成の携帯端末装置と前記外部機器とを備え、前記携帯端末装置によって前記外部機器の動作を制御することを特徴としている。
【発明の効果】
【００１５】
本発明によると、位置情報取得部により取得された位置情報が登録位置の場合に、外部機器に対して指示時刻に動作の開始を指示し、登録位置以外の場合に外部機器の動作を停止する指示が行われる。また、位置情報に拘わらずアラーム時刻に報知が行われる。このため、ユーザの外泊時に外部機器を停止して電力消費を低減することができる。また、外泊時に設定操作を必要とせずにアラームの報知が行われ、携帯端末装置及び機器制御システムの利便性を向上することができる。
【図面の簡単な説明】
【００１６】
【図１】本発明の実施形態の携帯端末装置を示す正面図
【図２】本発明の実施形態の携帯端末装置を含む機器制御システムを示すブロック図
【図３】本発明の実施形態の携帯端末装置の外部機器の一覧画面を示す図
【図４】本発明の実施形態の携帯端末装置のアラームの設定画面を示す図
【図５】本発明の実施形態の携帯端末装置の指示時刻の設定画面を示す図
【図６】本発明の実施形態の携帯端末装置の指示時刻の設定画面を示す図
【図７】本発明の実施形態の携帯端末装置の動作を示すフローチャート
【発明を実施するための形態】
【００１７】
＜第１実施形態＞
以下に図面を参照して本発明の実施形態を説明する。図１は一実施形態の携帯端末装置を示す正面図である。携帯端末装置１０は筐体１２の前面に液晶パネル等により形成される表示部１３が配される。表示部１３上にはタッチパネルにより形成される操作部１４（図２参照）が設けられる。操作部１４は必要に応じて表示画面上にボタン１４ａを表示し、ボタン１４ａ上の押圧等によって入力操作を行う。
【００１８】
筐体１２の表示部１３よりも上方にはスピーカ１５が配され、下方にはマイク１６が配される。スピーカ１５及びマイク１６を介して音声通話が行われる。また、スピーカ１５は操作部１４により設定したアラーム時刻に報知する報知部を構成する。筐体１２を振動させる振動装置を設け、振動装置の振動音によってアラーム時刻に報知する報知部を構成してもよい。
【００１９】
図２は携帯端末装置１０を含む機器制御システム１のブロック図を示している。機器制御システム１は携帯端末装置１０、管理装置２５及び外部機器３０を備えている。外部機器３０は携帯端末装置１０による制御対象の家電機器等により構成され、炊飯器３１、テレビ受像機３２、照明器具３３、空気調和機（エアコン）３４、電気ポット３５等が含まれる。管理装置２５及び外部機器３０は屋内等に配され、Bluetooth（登録商標）や無線ＬＡＮ等によって互いに通信を行う。管理装置２５からの指示によって外部機器３０の動作が制御される。
【００２０】
携帯端末装置１０は動作プログラムに基づいて各部を制御する制御部１１を備えている。制御部１１には表示部１３、操作部１４、記憶部１７、ＧＰＳ制御部１８、時計部１９、スピーカ１５、マイク１６、通信部２０が接続される。
【００２１】
時計部１９は時刻を計時する。記憶部１７はＲＯＭ及びＲＡＭを備え、携帯端末装置１０の動作プログラムや各種データを格納するとともに制御部１１による演算結果を一次記憶する。
【００２２】
ＧＰＳ制御部１８（位置情報取得部）はＧＰＳ４１と通信して携帯端末装置１０の位置情報を取得する。ユーザは所望の場所でＧＰＳ４１から取得した位置情報を予め記憶部１７に記憶することができる。これにより、携帯端末装置１０を所有するユーザの自宅等を登録位置として登録することができる。
【００２３】
通信部２０は電話回線や広域ＬＡＮ等を介して基地局４２と通信を行うとともに、Bluetoothや無線ＬＡＮ等によって管理装置２５と通信を行う。また、管理装置２５と基地局４２との間は電話回線や広域ＬＡＮ等を介して通信が行われる。これにより、外出したユーザは携帯端末装置１０の通信部２０から基地局４２を介して管理装置２５と通信可能になっている。
【００２４】
尚、管理装置２５を省き、通信部２０と外部機器３０とをBluetoothや無線ＬＡＮ等により直接通信可能に構成するとともに、基地局４２と外部機器３０とを電話回線や広域ＬＡＮ等を介して直接通信可能に構成してもよい。
【００２５】
上記構成の機器制御システム１において、携帯端末装置１０は所定の操作によって制御対象の外部機器３０を自動認識して登録する。外部機器３０の一覧からユーザが選択した外部機器３０を携帯端末装置１０に登録してもよい。図３は外部機器３０の認識結果を表示した表示部１３の表示画面の一例を示している。同図では炊飯器３１、照明器具３３、テレビ受像機３２及び空気調和機３４が認識され、電気ポット３５が認識されていない状態になっている。
【００２６】
また、携帯端末装置１０は所定の操作によってアラームを報知するアラーム時刻や、外部機器３０に対して動作開始を指示する指示時刻を設定することができる。図４は表示部１３に表示されるアラームの設定画面を示している。表示部１３の上部にはアラームの設定内容を表示するアラーム領域１３ａが設けられ、下部には外部機器３０の状態を表示する外部機器領域１３ｂが設けられる。
【００２７】
アラーム領域１３ａにはアラームの日付け、アラーム時刻及び報知時のメロディをそれぞれ表示する複数のボタン１４ｂが設けられる。各ボタン１４ｂの押圧によって各表示項目に応じた設定を行うことができる。この時、アラームの日付けは「毎日」や「平日」等の繰り返し設定が可能になっている。
【００２８】
外部機器領域１３ｂには複数の外部機器３０の認識状態をそれぞれ表示する複数のボタン１４ｃが設けられる。各ボタン１４ｃの押圧によって各表示項目に対応する外部機器３０の指示時刻の設定画面に移行することができる。これにより、複数の外部機器３０に対して異なる指示時刻を設定可能になっている。
【００２９】
図５は炊飯器３１の指示時刻の設定画面を示している。テレビ受像機３２等の他の外部機器３０も同様の設定画面により指示時刻が設定される。表示部１３の上部には炊飯器３１の認識状態を表示する状態表示領域１３ｃが設けられる。状態表示領域１３ｃの下方にはボタン１４ｄ、１４ｅが設けられる。
【００３０】
ボタン１４ｄは炊飯器３１の指示時刻を表示し、ボタン１４ｄの押圧によって指示時刻を設定することができる。この時、指示時刻はアラーム時刻に基づく相対時刻で設定され、アラーム時刻以前の所定範囲（例えば、０〜９０分）で設定可能になっている。同図では指示時刻がアラーム時刻の６０分前を示している。指示時刻をアラーム時刻に基づいてアラーム時刻以前の所定範囲で標準時による絶対時刻により設定してもよい。
【００３１】
ボタン１４ｅは押圧によって同図に示すように「電源ＯＮ」と図６に示すように「指示なし」とを切り替えることができる。「電源ＯＮ」に設定すると炊飯器３１に対して指示時刻に動作を開始する指示が行われる。尚、「電源ＯＮ」と表示しているが、各外部機器３０は常時電源が投入され、通信のみ行うことのできる状態になっている。「指示なし」に設定すると炊飯器３１に対する動作開始の指示は行われない。この時、ボタン１４ｄが空白表示される。
【００３２】
図７は携帯端末装置１０の動作を示すフローチャートである。ステップ＃１１ではカウンタｉを初期化して１が代入される。カウンタｉは認識された一または複数の外部機器３０に対して指示時刻の早い順に付された番号を示している。
【００３３】
ステップ＃１２ではｉ台目の外部機器３０の指示時刻になるまで待機する。ステップ＃１３ではカウンタｉが１か否かが判断される。カウンタｉが１でない場合はステップ＃１５に移行する。カウンタｉが１の場合は指示時刻が最先の外部機器３０に対する処理を示しており、ステップ＃１４でＧＰＳ制御部１８によって現在位置の位置情報が取得される。
【００３４】
本実施形態ではＧＰＳ制御部１８による位置情報の取得がアラームの報知までに１回行われる。この時、位置情報を取得する測定時刻が一または複数の外部機器３０の最先の指示時刻になっている。
【００３５】
ステップ＃１５ではステップ＃１４で取得した現在位置の位置情報が予め登録される登録位置か否かが判断される。現在位置が登録位置の場合はステップ＃１８で制御部１１から通信部２０を介して外部機器３０の動作を開始する指示が送信される。これにより、ユーザの起床時のアラーム時刻に応じて各外部機器３０の動作が開始され、起床時に炊飯完了や快適な室温等のユーザが所望する状態を得ることができる。
【００３６】
現在位置が登録位置以外の場合はステップ＃１６で対応する外部機器３０が動作中か否かが判断される。通常は外部機器３０が動作中ではなく、ステップ＃１９に移行する。外部機器３０が動作中の場合はステップ＃１７で外部機器３０の動作を停止する指示が送信される。これにより、対応する外部機器３０の動作が停止され、外部機器３０固有の予約設定やスイッチの切り忘れによる電力浪費を防止することができる。
【００３７】
ステップ＃１９ではカウンタｉが外部機器３０の接続台数よりも小さいか否かが判断される。カウンタｉが外部機器３０の接続台数よりも小さい場合はステップ＃２０でカウンタｉがインクリメントされ、ステップ＃１２に戻る。そして、ステップ＃１２〜＃２０が繰り返し行われ、各外部機器３０に対して同様の制御が行われる。
【００３８】
カウンタｉが外部機器３０の接続台数以上になると、ステップ＃２１に移行する。ステップ＃２１ではアラーム時刻になるまで待機し、アラーム時刻になるとステップ＃２２に移行する。ステップ＃２２ではステップ＃１４で取得した位置情報に拘わらずスピーカ１５によってアラームを報知し、処理を終了する。尚、アラームが毎日等に設定される場合はステップ＃１１に戻って繰り返し処理が行われる。
【００３９】
本実施形態によると、ＧＰＳ制御部１８（位置情報取得部）により取得された位置情報が登録位置の場合に、外部機器３０に対して指示時刻に動作の開始を指示し、登録位置以外の場合に外部機器３０の動作を停止する指示が行われる。また、位置情報に拘わらずアラーム時刻に報知が行われる。このため、ユーザの外泊時に外部機器３０を停止して電力消費を低減することができるとともに、不在時の異常動作による危険を回避することができる。また、外泊時に設定操作を必要とせずにアラームの報知が行われ、携帯端末装置１０及び機器制御システム１の利便性を向上することができる。
【００４０】
また、指示時刻がアラーム時刻の所定時間前に設定され、ＧＰＳ制御部１８により位置情報を取得する測定時刻を複数の外部機器３０に対する最先の指示時刻にしている。これにより、ＧＰＳ制御部１８の駆動を制限して携帯端末装置１０の省電力化を図ることができる。
【００４１】
本実施形態において、携帯端末装置１０により動作を制御する外部機器３０が１台であってもよい。また、複数の外部機器３０の各指示時刻にＧＰＳ制御部１８により位置情報を取得してもよい。これにより、ユーザが指示時刻前に帰宅時した場合等に外部機器３０の動作を開始させることができる。尚、ＧＰＳ制御部１８により位置情報を取得する測定時刻を指示時刻よりも前にしてもよいが、指示時刻に一致させるとユーザの現在位置に応じた制御を正確に行うことができるためより望ましい。
【産業上の利用可能性】
【００４２】
本発明によると、携帯端末装置により外部機器の動作を制御する機器制御システムに利用することができる。
【符号の説明】
【００４３】
１    機器制御システム
１０    携帯端末装置
１１    制御部
１２    筐体
１３    表示部
１３ａ  アラーム領域
１３ｂ  外部機器領域
１３ｃ  状態表示領域
１４    操作部
１４ａ〜１４ｅ  ボタン
１５    スピーカ
１６    マイク
１７    記憶部
１８    ＧＰＳ制御部
１９    時計部
２０    通信部
２５    管理装置
３０    外部機器
４１    ＧＰＳ
４２    基地局
【図１】
2014086794.tif 000003
【図２】
2014086794.tif 000004
【図３】
2014086794.tif 000005
【図４】
2014086794.tif 000006
【図５】
2014086794.tif 000007
【図６】
2014086794.tif 000008
【図７】
2014086794.tif 000009